(57)【特許請求の範囲】
【請求項１】
開閉自在に並列したろ板（５）の上部に、ろ布（７，３１）を吊掛した上部ろ布ロッド（１２，３２）をろ布芯金（１５，３５）に係止した吊設装置（６，３０）を配設し、ろ板（５）の表裏のろ過床面（５ａ）にろ布（７，３１）を張設するフィルタープレス（１）において、ろ板（５）の上方中央部に支柱（１４，３４）を立設し、支柱（１４，３４）にろ布芯金（１５，３５）を挿通支持すると共に、ろ布芯金（１５，３５）の支柱近傍に上部ろ布ロッド（１２，３２）を係止して、上部ろ布ロッド（１２，３２）を弾性部材で構成したことを特徴とするフィルタープレスにおけるろ布の吊設装置。
【請求項２】
上記ろ布芯金（１５，３５）を摺動自在に支柱（１４，３４）に挿通し、支柱（１４，３４）の下部外周にスプリング（１６，３６）を介装し、スプリング（１６，３６）によりろ布芯金（１５，３５）を揺動自在に支持することを特徴とする請求項１に記載のフィルタープレスにおけるろ布の吊設装置。
【請求項３】
上記ろ布芯金（１５，３５）両端部の下方に、加振バー（１９）をろ板（５）列に沿って昇降自在に橋架し、加振バー（１９）に振動装置（２０）を配設したことを特徴とする請求項１または２に記載のフィルタープレスにおけるろ布の吊設装置。
【請求項４】
上記ろ板（５）の開板時に、ろ布芯金（１５，３５）の下降位置を検出するろ布位置検知装置（２１）を配設したことを特徴とする請求項２または３に記載のフィルタープレスにおけるろ布の吊設装置。
【請求項５】
上記ろ布芯金（３５）を弾性部材で構成したことを特徴とする請求項１乃至４の何れか１項に記載のフィルタープレスにおけるろ布の吊設装置。
【発明の詳細な説明】
【技術分野】
【０００１】
この発明は、ろ布を振動させてケーキを剥離する技術に関し、特に簡易な構成でケーキの剥離性を向上させるフィルタープレスにおけるろ布の吊設装置に関する。
【背景技術】
【０００２】
従来、前後のフレームに橋架した案内レール上に、その前後面にろ布を張設した多数のろ板を移動自在に並列し、多数のろ板を同時に開閉するようにしたフィルタープレスにおいて、ろ板間に設けた一対のろ布を揺動自在に吊設し、これらのろ布を吊掛した支持バーの下方に加振シャフトを配設し、この加振シャフトに昇降装置と振動装置を設けた技術が特許文献１に開示されている。
【０００３】
また、ろ布を吊掛した支持バーの下方に加振シャフトを配設すると共に、ろ布の下端部に袋部を形成し、ろ板の前後の袋部を合着して重錘を挿入した技術が特許文献２に開示されている。
【０００４】
さらに、各ろ板の上部に上方に向けて一対の板バネ部材を固定し、板バネ部材とろ布とを紐状部材により連結して、ろ布をろ板のろ過面沿いに吊設した技術が特許文献３に開示されている。
【先行技術文献】
【特許文献】
【０００５】
【特許文献１】実公平７−２１２０４号公報
【特許文献２】実公平７−２８８８８号公報
【特許文献３】実公平４−３６０５号公報
【発明の概要】
【発明が解決しようとする課題】
【０００６】
特許文献１は、ろ板を開板すると、ろ布に付着したケーキ荷重によりろ布が降下して衝撃により剥離する。また、加振シャフトを徐々に上昇させながら振動させると、支持バーと共にろ布は振動させられながら上方に引き上げられ、ろ板にくい込んでいるろ布は上方に張り上げられて、残ケーキの剥離作用を促進する。
しかし、加振シャフトでろ布を押上げることにより、ろ布をろ板の凹凸面から引き離している。多数のろ布を同時に振動させるので、フィルタープレスが大型化すれば、多数のろ布を押上げるために振動装置も大型となり、大きな動力が必要となるという問題があった。
【０００７】
特許文献２は、ろ板を開板すると、ろ布に付着したケーキ荷重と重錘により、ろ板の凹凸面からろ布が引き離されて降下する。その衝撃により一部ケーキが剥離すると共に、降下時にろ布支持バーがスプリングを圧縮するので、その反発力によりろ布が押上げられ、その衝撃により残ケーキが剥離する。
しかし、ろ布を上下に振動させるだけの作用では、ろ布の目に付着した剥離性の悪いケーキや、厚みの薄いケーキを完全にろ布から剥離することは困難であり、大きな加速度を発生させる振動装置が必要となる。
【０００８】
特許文献３は、ろ板を開板すると、ろ板の板バネ部材、紐状部材またはろ布のいずれかに対して振動を付与することにより、振動が板バネ部材で助長されながら、紐状部材を介してろ布がろ板のろ過面沿いに振動する。この振動により、ろ布に付着したケーキの剥離が助長され、円滑にろ布から剥離する。
しかし、ろ板に立設した一対の板バネの振幅が合致していないと互いの振動を打ち消し合い、結果的に振動が小さくなるとともに振動発生時間も短くなる。また、紐状部材には板バネからの引張圧縮応力と、ろ布およびケーキの荷重が掛かるため、大きな強度が必要となり、弾性体で構成することは困難である。さらに、ろ布の下端部をろ板に固定しているため、ろ布の下方は振動の振幅が弱く、剥離性が悪いという問題がある。
【０００９】
この発明は、剥離性の悪いケーキでも、簡易な構成でろ布から容易に剥離させることができるフィルタープレスにおけるろ布の吊設装置を提供する。
【課題を解決するための手段】
【００１０】
この発明のフィルタープレスにおけるろ布の吊設装置の要旨は、開閉自在に並列したろ板の上部に、ろ布を吊掛した上部ろ布ロッドをろ布芯金に係止した吊設装置を配設し、ろ板の表裏のろ過床面にろ布を張設するフィルタープレスにおいて、ろ板の上方中央部に支柱を立設し、支柱にろ布芯金を挿通支持すると共に、ろ布芯金の支柱近傍に上部ろ布ロッドを係止して、上部ろ布ロッドを弾性部材で構成したので、ろ板の開板と同時にろ布に付着したケーキ等の荷重が一気に上部ろ布ロッドに掛かり、係止部を支点に両端部が下方に撓む。上部ろ布ロッドは弾性部材で構成してあるので、下至点に到達すると上方に反発し、この作用を繰返すことにより、ろ布には上下の振動が発生してケーキが剥離される。
【００１１】
ろ布芯金を摺動自在に支柱に挿通し、支柱の下部外周にスプリングを介装し、スプリングによりろ布芯金を揺動自在に支持すれば、上部ろ布ロッドの振動と共振することで振幅が増幅され、振動の際に大きな加速度を発生させて、ケーキ剥離を促進する。
【００１２】
ろ布芯金両端部の下方に、加振バーをろ板列に沿って昇降自在に橋架し、加振バーに振動装置を配設すれば、剥離し難いケーキがろ布に残存した場合、加振バーによって上部ろ布ロッドを介してろ布を効率よく振動させることができ、特に洗浄水を用いることなくろ布を再生することができる。
【００１３】
ろ板の開板時に、ろ布芯金の下降位置を検出するろ布位置検知装置を配設とすれば、ろ布にケーキが付着して残存している等の異常の発生を検知できる。
【００１４】
ろ布芯金を弾性部材で構成すれば、上部ろ布ロッドをろ布芯金両端部近傍で係止でき、上部ろ布ロッドにかかる荷重を分散できる。
【発明の効果】
【００１５】
この発明に係るフィルタープレスにおけるろ布の吊設装置は、上記のように構成してあり、装置の大型化を必要としない簡易な構成で、軽量化を図ることができる。
具体的には、ろ布がろ過面に沿って振動するので、ろ板間の開板距離を小さくすることができ、フィルタープレスの小型化が可能となる。また、ろ布全面に均一な上下の振動だけでなく、中央部と側方部で異なる振動を作用させ、剥離性の悪いケーキも容易に剥離させることができる。さらに、ろ布を吊掛する弾性部材をスプリング等の弾性体で支持すると、振動を増幅でき、さらに剥離性をよくできる。
【図面の簡単な説明】
【００１６】
【図１】この発明に係るろ布の吊設装置を有するフィルタープレスの概略側面図である。
【図２】同じく、ろ布の吊設装置の側断面図である。
【図３】同じく、ろ布の吊設装置の正面図である。
【図４】同じく、ろ布の正面図である。
【図５】同じく、ろ布の吊設装置の要部拡大図である。
【図６】他の実施形態にかかるろ布の吊設装置の側断面図である。
【図７】他の実施形態にかかるろ布の吊設装置の正面図である。
【図８】他の実施形態にかかるろ布の吊設装置の要部拡大図である。
【図９】本発明に係るろ布位置検知装置を設けたフィルタープレスの模式側面図であって、ろ布が正常位置にあることを示す。
【図１０】本発明に係るろ布位置検知装置を設けたフィルタープレスの模式側面図であって、ろ布が異常位置にあることを示す。
【発明を実施するための形態】
【００１７】
この発明に係るフィルタープレスにおけるろ布の吊設装置を図面に基づき詳述すると、図１はろ布の吊設装置を有するフィルタープレスの概略側面図であって、本発明に係るフィルタープレス１は、フロントフレーム２とリアーフレーム３とに支持された一対の平行なガイドレール４が支架されている。
このガイドレール４には、表裏にろ過床面５ａを有するろ板５と、ろ板５の上部に配設した吊設装置６と、吊設装置６にて吊掛されてろ過床面５ａ上に張設されたろ布７とが、複数装着されている。複数のろ板５…は、ガイドレール４上に前後進可能に載置されている。
リアーフレーム３には開閉装置８を支架し、開閉装置８を伸長させてムーバブルヘッド９をフロントフレーム２方向に押圧することによりろ板５を閉板し、閉板したろ板５，５間のろ過室１０に原液を供給すれば、ろ液はろ布７を通過して外部に排出される。ろ布７で捕捉された固形物はろ過室１０内でケーキ層を形成しながら脱水される。
脱水終了後、開閉装置８を収縮してろ板５を開板する。連結リンク１１によって決められた所定の間隔で、各ろ板５を一斉に開板することができる。そして、ろ過室１０内のケーキを落下させて、機外へ排出するようにしている。なお、ろ板５を開閉させる開閉装置８は、油圧シリンダー、電動シリンダー等を用いることができる。
【００１８】
図２に示すように、各ろ板５の表裏には、凹状のろ過床面５ａが形成されている。ろ過床面５ａは、ろ板５の閉板時に隣接するろ板５の相対向するろ過床面５ａとの間でろ過室１０を区画形成する。ろ板５の表裏のろ過床面５ａ上にはろ布７が張設され、ろ布７の上部は、上部ろ布ロッド１２によって支持されている。図４に示すように、ろ布７の上端部と下端部とには、それぞれ袋部７ａ，７ｂが設けられ、上側の袋部７ａには上部ろ布ロッド１２が、下側の袋部７ｂにはろ布７を緊張させるための重錘１３がそれぞれ挿通されている。
【００１９】
図３に示すように、ろ板５の上方の中央部には、一対の支柱１４，１４が立設され、この支柱１４，１４によってろ布芯金１５が摺動自在に挿通されている。支柱１４の下部の外周には、スプリング１６が介装されており、スプリング１６によってろ布芯金１５が支柱１４に揺動自在に支持されている。
【００２０】
ろ布芯金１５の前後面には、上部ろ布ロッド１２の係止部としてのサポート１７が固着されている。サポート１７は、図５に示すように、ろ布７をろ板５の表裏のろ過床面５ａ上を覆うように垂下させた状態で袋部７ａに挿通された上部ろ布ロッド１２を係止するように、ろ布芯金１５の側面に相対向して立設されている。
図４に示すように、ろ布７の袋部７ａのサポート１７に当接する部分には、切欠窓７ｃを設けてあり、下方の袋部７ｂには切欠窓７ｄを設けてある。
【００２１】
図５，６は、ろ布７のろ布芯金１５への取付部の詳細を示すものである。ろ布芯金１５の前後面に設けるサポート１７の上端部は、上端を円筒状に巻き込むことによって形成されている。ろ布７を振動させたとき、サポート１７に係止したろ布７の上部ろ布ロッド１２が上方に撥ねる等して外れるのを防止するためのものである。
【００２２】
支柱１４及びスプリング１６でろ布芯金１５を支持する部分には、支持部の補強のため、当て板２５と押え板２６でろ布芯金１５を挟持しても良く、また、この当て板２５あるいは押え板２６の前後面にサポート１７を固着しても良い。
【００２３】
本実施例では、角形鋼管で構成したろ布芯金１５に、ろ布７を吊掛した上部ろ布ロッド１２を係止したものである。ろ布芯金１５と上部ろ布ロッド１２をそれぞれ剛性部材と弾性部材で構成してあるので、ろ過・脱水工程終了後、ろ板５を開板すれば、ろ布７や重錘１３及びろ布７に付着したケーキ等の荷重が一気に上部ろ布ロッド１２に掛かり、中央部の支柱１４を支点に両端部が下方に撓む。下方に撓んだ上部ろ布ロッド１２は、下至点に到達すると上方に反発し、この作用を繰返すことにより、ろ布７には上下の振動が発生する。また、ろ布７の中央部近傍は支柱により支持されており、ろ布７の両端部付近の振幅が大きいという特性がある。そのため、ろ布７には捩れが発生し、ケーキ厚が薄い剥離性の悪いケーキもろ布７から容易に剥離できるものである。
【００２４】
ろ布芯金１５を挿通支持している支柱１４の下部にはスプリング１６を介装しているため、ろ布芯金１５及び上部ろ布ロッド１２の振動と共振することで振幅が増幅され、振動の際に大きな加速度を発生させて、ケーキ剥離を促進する。
上部ろ布ロッド１２を構成する弾性部材としては、バネ鋼やグラスファイバー等の公知の部材を仕様に合わせて適宜選定する。
【００２５】
図１に示すように、フロントフレーム２とリアーフレーム３とに立設した昇降装置２４に、ガイドレール４と平行に一対の加振バー１９が昇降可能に挿通支持されている。昇降装置２４はシリンダー等の周知の技術を用いることができる。
剥離し難いケーキがろ布７に残存した場合、加振バー１９によって上部ろ布ロッド１２を介してろ布７を効率よく振動させることができ、特に洗浄水を用いることなくろ布７を再生することができる。
【００２６】
具体的には、シリンダー２４により加振バー１９を上昇させ、ろ布芯金１５両端部に加振バー１９が下方から当接した状態で、加振バー１９の中央部付近に設けられている振動装置２０を振動し、ろ布７を強制的に振動させ、残存しているケーキの剥離を行う。
ろ板５の開板時に、加振バー１９は下降しているため、弾性部材で構成した上部ろ布ロッド１２の振動の際に、干渉することがなく、十分な振幅が確保できる。
また、ろ板の閉板時には、加振バー１９は上昇し、ろ布芯金１５の下方から当接しながら押上げ、ろ板５の原液通路２２とろ布の原液供給板２３の位置を合わせる。
ろ布芯金１５は剛性部材で構成されているため、ろ板５の閉板時に加振バー１９を上昇させて、ろ布芯金１５の下方から当接しながら押上げる際に、ろ板５の原液通路２２とろ布の原液供給板２３の位置を合わせ易い。
【００２７】
ろ布７にケーキが残存する場合、ケーキの荷重により支柱１４に介装しているスプリング１６が圧縮され、ろ布７、上部ろ布ロッド１２、ろ布芯金１５が押し下がった状態となる。この状態でろ板５を閉板すると、原液供給板２３の挟着不具合や、上部ろ布ロッド１２の挟み込みによる部品損傷、液漏れ等の問題がある。
図９と図１０に基づき、ろ布位置検知装置２１について詳述する。本実施例においては透過型の光電スイッチによりろ布位置検知を行なっているが、ワイヤー等の有線による検知装置等も使用可能である。フィルタープレス１のフロントフレーム２上部に投光器２１ａを配設し、リアーフレーム３上部には、前記投光器２１ａから照射される投光線２１ｂを受光する受光器２１ｃを配設している。前記投光線２１ｂはガイドレール４に平行して照射され、対峙している受光器２１ｃで受光する。図９は全てのろ布芯金１５が正常位置に上昇しており、投光器２１ａから照射された投光線２１ｂは受光器２１ｃに入射している。この状態においては、ケーキは確実に剥離されていることを示している。図１０では、正常位置に上昇していないろ布芯金１５があるため、この上部ろ布ロッド１２によって投光線２１ｂが遮断され、受光器２１ｃに入射していない。このことは、ケーキ剥離が完全に行なわれておらず、ろ布７にケーキが付着して残存している等の異常が発生していることを示している。
本実施例では、図４に示すように、ろ布芯金１５の中央部下方に投光線２１ｂを照射して検知しているが、フィルタープレスの型式、ろ室数、現場雰囲気等を考慮して、照射位置、照射数は適宜設定してもよいものである。
【００２８】
図６〜８は他の実施例に係るフィルタープレスにおけるろ布の吊設装置３０であり、弾性部材で構成したろ布芯金３５に、Ｌ字状のサポート３７を立設し、ろ布３１を吊掛して弾性部材で構成した上部ろ布ロッド３２を係止したものである。
ろ板５の開板と同時に、ケーキ等の自重により上部ろ布ロッド３２と共にろ布芯金３５を同時に振動させて、ろ布３１に付着したケーキを剥離するものである。
【００２９】
図６に示すように、ろ板５の表裏のろ過床面５ａ上に、ろ布３１が張設されてあり、ろ布３１の上端部と下端部とには、それぞれ袋部３１ａ，３１ｂが設けられ、上側の袋部３１ａには上部ろ布ロッド３２が、下側の袋部３１ｂにはろ布３１を緊張させるための重錘３３がそれぞれ挿通されている。
【００３０】
図７に示すように、ろ板５の上方の中央部には、一対の支柱３４，３４が立設され、この支柱３４，３４によってろ布芯金３５が摺動自在に挿通されている。支柱３４の下部の外周には、スプリング３６が介装されており、スプリング３６によってろ布芯金３５が支柱３４に揺動自在に支持されている。支柱３４及びスプリング３６でろ布芯金３５を支持する部分には、当て板３８と押え板３９でろ布芯金３５を挟持し、支持部の応力集中を分散させている。サポート３７は、ろ布芯金３５の当て板３８あるいは押え板３９の前後面に固着しても良い。
ろ布芯金３５を弾性部材で構成しているので、サポート３７をろ布芯金３５両端部近傍まで配設でき、上部ろ布ロッド３２にかかる荷重を分散できる。
【００３１】
サポート３７は、図８に示すように、ろ布３１をろ板５の表裏のろ過床面５ａ上を覆うように垂下させた状態で袋部３１ａに挿通された上部ろ布ロッド３２を係止するように、ろ布芯金３５の側面に相対向して立設されている。
ろ布３１の袋部３１ａのサポート３７に当接する部分には、切欠窓３１ｃが設けられている。
【００３２】
ろ過・脱水工程終了後、ろ板５を開板すれば、ろ布３１や重錘３３及びろ布３１に付着したケーキ等の荷重が一気に弾性部材で構成した上部ろ布ロッド３２に掛かり、上部ろ布ロッドを係止しているサポート３７を介してろ布芯金３５に掛かる。ろ布芯金３５も弾性部材で構成されているため、中央部の支柱３４を支点に両端部が下方に撓む。下方に撓んだ上部ろ布ロッド３２及びろ布芯金３５は、下至点に到達すると上方に反発し、この作用を繰返すことにより、ろ布３１には上下の振動が発生する。また、ろ布３１の中央部近傍は支柱により支持されており、ろ布３１の両端部付近の振幅が大きいという特性がある。そのため、ろ布３１には捩れが発生し、ケーキ厚が薄い剥離性の悪いケーキもろ布３１から容易に剥離できるものである。
【００３３】
ろ布芯金３５を上下動可能に挿通支持している支柱３４の下部にはスプリング３６を介装しているため、上部ろ布ロッド３２の振動と共振することで振幅が増幅され、振動の際に大きな加速度を発生させて、ケーキ剥離を促進する。
剥離し難いケーキがろ布３１に残存した場合、シリンダー２４により加振バー１９を上昇させ、ろ布芯金３５両端部に加振バー１９が下方から当接した状態で、加振バー１９の中央部付近に設けられている振動装置２０を振動させ、ろ布３１を強制的に振動させ、残存しているケーキの剥離を行う。
ろ布芯金３５を構成する弾性部材としては、バネ鋼やグラスファイバー等の公知の部材を仕様に合わせて適宜選定する。
【産業上の利用可能性】
【００３４】
本発明のフィルタープレスにおけるろ布の吊設装置は、ろ板の開板と同時にろ布に付着したケーキの自重によりろ布が振動して剥離することができる。また、部品点数も少なく簡易な構成であるので、吊設装置に係る部品の分解・組立が容易に行うことができる。
したがって、この発明は、上水汚泥、下水汚泥、または、産業排水汚泥等について、大容量の汚泥等を処理するフィルタープレス、及び多室型のフィルタープレスのろ布の吊設装置に適用できるものである。
【符号の説明】
【００３５】
１  フィルタープレス
５  ろ板
５ａ  ろ過床面
６、３０  吊設装置
７、３１  ろ布
１２、３２  上部ろ布ロッド
１４、３４  支柱
１５、３５  ろ布芯金
１６、３６  スプリング
１９  加振バー
２０  振動装置
２１  ろ布位置検知装置
【図１】
0005294090.tif 000002
【図２】
0005294090.tif 000003
【図３】
0005294090.tif 000004
【図４】
0005294090.tif 000005
【図５】
0005294090.tif 000006
【図６】
0005294090.tif 000007
【図７】
0005294090.tif 000008
【図８】
0005294090.tif 000009
【図９】
0005294090.tif 000010
【図１０】
0005294090.tif 000011